(57)【要約】  スケジューリング式媒体アクセス制御プロトコルの信号通知期間の間における情報を用いて、データ送信期間の間における動作を調節して効率的にする方法およびシステム。たとえば受信信号により提供される表示に基づき、チャネル評価および送信電力調節が為される。
2008510438.tif 000002
【特許請求の範囲】
【請求項１】
スケジューリング式送信ネットワークにおいて動作する所定の無線通信デバイスの動作を調節する方法であって、
スケジューリング期間の間に他のデバイスから信号を受信する段階と、
受信信号の特性を決定する段階と、
上記受信信号の特性に基づいてデータ送信期間の間において上記所定デバイスの動作を調節する段階と、
を備えて成る方法。
【請求項２】
前記受信信号の特性を決定する前記段階は該受信信号を用いてチャネル評価を実施する段階を備えて成る、請求項１記載の方法。
【請求項３】
前記所定デバイスの動作を調節する前記段階は、チャネル品質の表示を記憶する段階と、データ送信期間の間に受信した信号を処理する際に上記チャネル品質の表示を使用する段階と、を備えて成る、請求項２記載の方法。
【請求項４】
前記受信信号の前記特性は受信信号強度である、請求項１記載の方法。
【請求項５】
前記所定デバイスの動作を調節する前記段階は、前記受信信号強度に基づいて自動利得制御設定を調節する段階、を備えて成る、請求項４記載の方法。
【請求項６】
前記所定デバイスの動作を調節する前記段階は、前記受信信号強度に基づいて送信電力を調節する段階、を備えて成る、請求項４記載の方法。
【請求項７】
前記受信信号の前記特性は受信信号品質であり、且つ、前記所定デバイスの動作を調節する前記段階は、上記受信信号品質に基づいてデータ速度を選択する段階を備えて成る、請求項１記載の方法。
【請求項８】
前記受信信号は干渉する送信器からの信号であり、上記受信信号の前記特性は、データ送信期間の間における上記干渉する送信器からの送信の表示であり、且つ、前記所定デバイスの動作を調節する前記段階は、上記干渉する送信器からの送信の影響を減少させる段階を備えて成る、請求項１記載の方法。
【請求項９】
スケジューリング式アクセス・プロトコルを用いるネットワークにおけるデータ送信期間に対するチャネル評価を初期化するために無線通信デバイスにより使用される方法であって、
他のデバイスからビーコン期間の間に信号を受信する段階と、
上記ビーコン期間の間に受信した上記信号を用いて、上記他のデバイスと上記無線通信デバイスとの間における通信チャネルのチャネル品質を評価する段階と、
上記他のデバイスと上記無線通信デバイスとの間における上記通信チャネルの上記チャネル品質の評価の表示を記憶する段階と、
上記他のデバイスからデータ送信期間の間にプリアンブル信号を受信する段階と、
上記他のデバイスと上記無線通信デバイスとの間における上記通信チャネルの上記チャネル品質の評価の表示を用いて、上記プリアンブル信号を処理する段階と、
を備えて成る方法。
【請求項１０】
前記ビーコン期間は前記データ送信期間により時的に追随される、請求項９記載の方法。
【請求項１１】
前記ビーコン期間および前記データ送信期間はスーパーフレームを構成する、請求項１０記載の方法。
【請求項１２】
前記プリアンブル信号を処理する前記段階は前記チャネル品質を評価する段階を備えて成る、請求項９記載の方法。
【請求項１３】
前記ビーコン期間の間において更なるデバイスから更なる信号を受信する段階と、
上記ビーコン期間の間において受信した上記更なる信号を用いて上記更なるデバイスと前記無線通信デバイスとの間における通信チャネルのチャネル品質を評価する段階と、
上記更なるデバイスと上記無線通信デバイスとの間における上記通信チャネルの上記チャネル品質の評価の表示を記憶する段階と、
上記更なるデバイスからデータ送信期間の間にプリアンブル信号を受信する段階と、
上記更なるデバイスと上記無線通信デバイスとの間における上記通信チャネルの上記チャネル品質の評価の表示を用いて、上記プリアンブル信号を処理する段階と、
を更に備えて成る、請求項９記載の方法。
【請求項１４】
無線通信デバイスにより送信されるデータのための送信速度を決定するために該無線通信デバイスにより使用される方法であって、
他のデバイスから信号通知期間の間に信号を受信する段階と、
上記信号通知期間の間に受信した上記信号を用いて上記他のデバイスと上記無線通信デバイスとの間における通信チャネルのチャネル品質を評価する段階と、
上記チャネル品質の評価を用いて、データ送信期間の間における上記無線通信デバイスから上記他のデバイスに対するデータ送信のための送信速度を決定する段階と、
を備えて成る方法。
【請求項１５】
前記チャネルの評価は信号／ノイズ比（ＳＮＲ）を含む、請求項１４記載の方法。
【発明の詳細な説明】
【技術分野】
【０００１】
本発明は概略的にスケジューリング式の無線通信に関し、より詳細には、受信した信号通知情報をデータ送信の調節のために使用する方法に関する。
【背景技術】
【０００２】
多くの媒体アクセス制御（ＭＡＣ）プロトコルは、無線ネットワークにおいて適切なスループットおよび遅延によるパフォーマンスを以て無線媒体の公平な共有を実現すべく設計されてきた。ＭＡＣプロトコルは広範には、チャネル・アクセス・メカニズムに依存してコンテンション式またはスケジューリング式のいずれかに分類され得る。コンテンション式のＭＡＣプロトコルにおいて各デバイスは、それらが送信すべきパケットを有するときは常にチャネル・アクセスに対して競合する。コンテンション式ＭＡＣプロトコルの例はキャリア検知多重アクセス（ＣＳＭＡ）プロトコルおよびその変形例であり、その場合にデバイスは、他のデバイスが現在において送信しているか否かを検知した後で、大いに送信を行う。無線ローカル・エリア・ネットワーク（ＷＬＡＮ）は典型的に、IEEE802.11の呼衝突回避手順（ＤＣＦ）の如きコンテンション式ＭＡＣプロトコルを使用してきた。コンテンション式プロトコルのスループットは概略的に、ネットワークが低負荷で動作されている限りは良好である。しかし、消費者の無線ネットワークにおけるマルチメディア・アプリケーションに対する需要の増大と、物理層のデータ速度の増大とにより、コンテンション式プロトコルにより提供されるチャネル利用率およびスループットは不適切になることもある。これは部分的に、フレーム間の分離とバックオフ・メカニズムとの故にチャネル・アクセスに伴う固定オーバヘッドに起因し得る。
【０００３】
スケジューリング式ＭＡＣプロトコルは、送信同士が干渉しない様に送信スケジュールを確立する。上記送信スケジュールは、干渉を回避するために異なる送信器に対し、異なるタイムスロット、異なる周波数チャネルまたは異なる拡散符号を割当て得る。送信スケジュールは、中央制御器により割当てられ得るか、または、分散様式で確立され得る。たとえばセル式通信ネットワークにおいて基地局は、中央スケジューラとして作用すると共に、移動ノードに対して異なる送信スケジュールを割当て得る。例示的な送信スケジュールは、時間を各スロットへと分割すると共に各デバイスは非干渉送信のために異なるタイムスロットが割当てられるという時分割多元接続（ＴＤＭＡ）を使用する。上記基地局の中央調整器は各デバイスからの要求に基づき、ひとつのスーパーフレーム内において異なるデバイスに対して異なるスロットを割当てる。スケジューリング式ＭＡＣプロトコルによれば、更に高いチャネル利用率が達成され得る。しかし中央スケジューラを有することは、全てのネットワーク用途に対して最適ではない。たとえば、無線によるパーソナル・エリア・ネットワークにおいて無線デバイスは典型的に、中央制御器なしで該無線デバイス自体を臨時のネットワークとして編成する。斯かる臨時的な無線ネットワークに対しては、スーパーフレーム構造によるなどの多数の分散型のスケジューリング式ＭＡＣプロトコルが提案されている。
【０００４】
トラフィック特性、トポロジ変化およびデバイス機能に対して送信スケジュールを適合させるために、ＴＤＭＡスロットは信号通知スロットおよびデータ送信スロットへと分割され得る。送信は、信号通知期間の間に収集された情報を用いてデータ・スロット期間の間にスケジューリングされる。（ビーコン期間とも称される）上記信号通知期間の間において有効デバイスの各々は、ネットワークのタイミングを補強し、且つ、該信号通知期間に追随するスロットに対する予約を行い得る。（ビーコンとも称される）信号通知パケットは、スーパーフレームにおける既存チャネル予約を含み得る。但し、たとえばＴＤＭＡスケジューリング方式などのスケジューリング方式を用いたとしても、利用可能な帯域幅が完全に利用されないこともあり、または、送信された情報が活用されないこともある。
【０００５】
たとえば、チャネル評価は通常は、データ・パケットのプリアンブルの間における固定期間に対して実施される。ノイズ、有限の評価時間、および、他の要因の故に、チャネル評価プロセスは損失的である。殆どのシステムにおいて、チャネル評価シーケンスはプリアンブルの間における固定長である。
【０００６】
概略的に決定される別の群のパラメータは、多くの場合において自動利得制御（ＡＧＣ）プロセスを通して決定されるというＲＦフロントエンド利得設定である。臨時的な無線ネットワークにおいて、各無線デバイスは任意様式で分散され、すなわち、２台の通信デバイス間の距離は固定されない。結果として、２台の異なるデバイスから送信された信号は、意図された受信器に対して該信号が到達したときに異なる信号強度を有することがある。受信器において幾台かの可変利得増幅器は、次のステージに対して供与される信号が一定の望ましい範囲内に在る様に、適切な利得値に設定される。これらの増幅器に対して使用される設定は通常は、受信したデータ・パケット毎に改変される。
【０００７】
電力制御アルゴリズムは、セル式通信ネットワークにおいて一般的であり、且つ、全体的ネットワーク容量を増大する効率的な手法である。中央制御によるネットワークにおいて制御器は、制御ループを介して送電調節を指令し得る。これらのシステムは典型的に、上流電力を測定する制御器であって下流送信の間に報告を行う制御器を包含する。各クライアントは、目標を満足すべく自身の電力を調節する。この方式は、中央制御器の無い臨時的ネットワークにおいては可能でない。
【０００８】
無線通信環境は、同時に動作する多くのネットワークを備え得る。一定のネットワークは、干渉を回避するために異なる周波数を使用することがある。しかし、意図された送信器以外の発信元からの一定の干渉が存在する可能性はある。
【０００９】
データ通信システムは、複数のデータ送信速度をサポートし得る。これらのデータ速度は典型的に、異なる最小ＳＮＲまたは他のリンク・パラメータ要件を有する。データ速度が大きいほど、典型的には高いＳＮＲが必要とされる。適切な送信速度の選択は、アプリケーション要件などの他の制約条件により影響され得る。但し、所定アプリケーションはデータ・リンクからの最高の利用可能速度を要求し得ることが一般的である。無線データ・リンクは速度適合アルゴリズムに頼ることで、最高の利用可能速度の発見が助力され得る。典型的にこれは、更に高い速度を試行する段階と、不首尾な送信の後において速度を低下させるという段階とを包含する反復的プロセスである。
【発明の開示】
【発明が解決しようとする課題】
【００１０】
本発明は、信号通知期間すなわちビーコン期間を備えた分散型のスケジューリング式ＭＡＣプロトコルが使用されるときの無線エア・インタフェースのパフォーマンスを改善する方法およびシステムを記述する。これらの方法およびシステムは特に、無線ネットワークに対して適用可能である。分散型のスケジューリング式ＭＡＣプロトコルは概略的に、信号通知期間すなわちビーコン期間の間において特定情報を交換する複数の有効デバイスを有する。故に各フレームは通常、各デバイスからの一定の既知情報を含む。この情報を無線エア・インタフェースを介して定期的に受信することにより、無線インタフェース自体に関する有用な情報が決定かつ使用され得る。
【課題を解決するための手段】
【００１１】
種々の見地において本発明は、スケジューリング式送信ネットワークにおいて動作する所定の無線通信デバイスの動作を調節する方法であって、スケジューリング期間の間に他のデバイスから信号を受信する段階と、受信信号の特性を決定する段階と、上記受信信号の特性に基づいてデータ送信期間の間において上記所定デバイスの動作を調節する段階と、を備えて成る方法を提供する。
【００１２】
他の種々の見地において本発明は、スケジューリング式アクセス・プロトコルを用いるネットワークにおけるデータ送信期間に対するチャネル評価を初期化するために無線通信デバイスにより使用される方法であって、他のデバイスからビーコン期間の間に信号を受信する段階と、上記ビーコン期間の間に受信した上記信号を用いて、上記他のデバイスと上記無線通信デバイスとの間における通信チャネルのチャネル品質を評価する段階と、上記他のデバイスと上記無線通信デバイスとの間における上記通信チャネルの上記チャネル品質の評価の表示を記憶する段階と、上記他のデバイスからデータ送信期間の間にプリアンブル信号を受信する段階と、上記他のデバイスと上記無線通信デバイスとの間における上記通信チャネルの上記チャネル品質の評価の表示を用いて、上記プリアンブル信号を処理する段階と、を備えて成る方法を提供する。
【００１３】
他の種々の見地において本発明は、無線通信デバイスにより送信されるデータのための送信速度を決定するために該無線通信デバイスにより使用される方法であって、他のデバイスから信号通知期間の間に信号を受信する段階と、上記信号通知期間の間に受信した上記信号を用いて上記他のデバイスと上記無線通信デバイスとの間における通信チャネルのチャネル品質を評価する段階と、上記チャネル品質の評価を用いて、データ送信期間の間における上記無線通信デバイスから上記他のデバイスに対するデータ送信のための送信速度を決定する段階と、を備えて成る方法を提供する。
【００１４】
本発明のこの見地および他の見地は、添付図面を含む本開示を吟味することで更に十分に理解される。
【発明を実施するための最良の形態】
【００１５】
図１には、典型的なデジタル通信受信器の簡略図が示されている。該受信器は、示された如く受信信号をデジタル化するアナログ／デジタル・コネクタ（ＡＤＣ）を含む無線周波（ＲＦ）処理回路１１１を含む。該ＲＦ処理回路は一定の場合には、受信器に対するアナログＲＦフロントエンドと称される。デジタル化信号は、主としてパケット検出、タイミングおよびフレーミング目的で、同期ブロック１１３に対して提供される。上記デジタル化信号は、チャネル評価を実施するチャネル評価ブロック１１５に対しても提供される。
【００１６】
多くの実施例において上記チャネル評価ブロックは、パケットのプリアンブル内に存在するチャネル評価シンボルを用いてチャネル品質を評価する。図２は、典型的な無線データ・パケットに対するパケット・フォーマットを示している。該パケットは、プリアンブル２１１、ＰＨＹヘッダ２１３、ＭＡＣヘッダ２１３およびフレーム・ペイロード２１７を含む。上記プリアンブルは、パケット同期シーケンス２２１、フレーム同期シーケンス２２３およびチャネル評価シンボル２２５を含む。上記パケット同期シーケンスおよびフレーム同期シーケンスは概略的に既知の事前定義シーケンスであり、上記チャネル評価シンボルも同様である。上記チャネル評価シンボルは、チャネル評価を実施すべく用いられる。幾つかの実施例においては以下で論じられる如く、上記チャネル評価ブロックは信号通知期間情報を用いてデータ期間送信に対するチャネル品質を評価する。
【００１７】
図１に戻ると、等化ブロック１１７はデジタル化信号を受信すると共に、該信号を上記チャネル評価ブロックからの信号に従い処理する。処理された信号は、同様にチャネル評価情報に依存するプロセスを使用し得る復調ブロック１１９および復号化ブロック１２１により夫々、復調かつ復号化される。
【００１８】
上記チャネル評価回路機構は次式を解くことを試みる：
【００１９】
ｙ＝ｈｘ＋ｎ    （１）
【００２０】
式中、ｘは送信されたシンボルを表し、ｈは無線チャネルを表し、ｎはノイズであり、且つ、ｙは受信信号である。トレーニング・シーケンスの間に送信された既知情報を受信信号と比較することにより、ｈは評価され得る。
【００２１】
ビーコン式アクセス方式による幾つかの実施例において、上記チャネル評価ブロックはビーコン期間の間におけるチャネルの初期評価を提供する。種々の実施例において上記初期評価は、データ・パケット受信の間におけるチャネル評価を改善すべく、または、上記受信器の復調および復号化プロセスに対してアルゴリズム的入力を提供すべく用いられる。
【００２２】
図３は、信号通知期間３１１ａ、３１１ｂおよびデータ送信期間３１５ａ、３１５ｂを備えたＴＤＭＡスーパーフレーム構造を示している。上記信号通知期間のタイムスロットにおいて各デバイスは、後続的なデータ送信期間のタイムスロットにおけるデータの送信に関する表示を送信する。上記信号通知期間の間における送信は、既知シンボルを含む。上記信号通知期間は各々が複数のタイムスロットから成り、データ送信期間も同様であり、一定の場合においてデータ送信期間のタイムスロットはデータ・アクセス・スロットもしくは多重アクセス・スロットと称される。
【００２３】
上記ビーコン期間は、チャネル評価プロセスに対する付加的入力を提供する。ビーコン期間の間において、図１のデバイスの如きデバイスは、ビーコン群の内のひとつの構成体または複数の構成体に対するチャネル評価を決定して記憶する。データ・アクセス・スロットの間においてビーコン群の特定の構成体からのパケットが送信されたときに上記デバイスは、記憶されたチャネル・パラメータを用いるなどしてチャネル評価を初期チャネル評価として使用するか、または、これらのパラメータを入力として使用することでチャネル評価を改善しても良い。
【００２４】
図４は、チャネル品質評価のために信号通知期間の信号を用いるプロセスの実施例のフローチャートを示している。ブロック４０１において所定デバイスは、別のデバイスＤiからビーコン信号を受信する。ブロック４０３においては、たとえばハードウェアにおいて構成され、または、上記所定デバイス上でソフトウェア・プログラムを実行するというプロセスは、デバイスＤiから受信した信号を用いてチャネル品質を評価する。幾つかの実施例においてチャネル品質評価は、データ・パケットのプリアンブルの処理の間においてチャネル品質評価のために行われるのと同様に実施される、と言うのも、それは当業者もしくは当業界の熟練者にとり公知だからである。ブロック４０５において所定プロセスは、デバイスＤiに対するチャネル品質の表示を記憶する。一定の実施例においてチャネル品質の上記表示は、上記デバイスのＲＡＭ内に記憶される。
【００２５】
一定の環境においては、複数のデバイスが、臨時的ネットワークと見做され得るものの一部であり得る。故に上記デバイスは、上記プロセスの一定の実施例においてブロック４０７にて選択的に、更なる他のデバイスのためにチャネル品質評価を処理するか否かを評価する。故に選択的ブロック４０７において上記プロセスは、デバイスＤi+1などの更なるデバイスに対して処理を継続するか否かを決定する。もしそうであればブロック４０９において上記プロセスはｉをインクリメントしてブロック４０１へと継続する。
【００２６】
ブロック４１１において、上記プロセスは、または、該プロセスを実行しているデバイスは、デバイスＤiからプリアンブル信号を受信する。ブロック４１３において上記プロセスは、Ｄiからのプリアンブル信号を処理する。Ｄiからのプリアンブル信号を処理する上で上記プロセスは、該プリアンブル信号の処理の一部として、または、該プリアンブル信号に基づく動作の一部として、記憶されたチャネル品質の表示を使用する。これにより、たとえば、受信したプリアンブル信号のデータ復元率が改善され得る。これに加え、図８に示されたプロセスの実施例においてプリアンブル信号の処理は、更なるチャネル評価を含む。ブロック４１５において上記プロセスは、デバイスＤiに対するチャネル評価を更新する。その後に該プロセスはリターンする。
【００２７】
分散型のスケジューリング式ＭＡＣプロトコルにおいて、送信器は、スーパーフレームにおいて後時にデータを送信するという該送信器の意図を宣言するビーコン・パケットを送信することから、受信器においては該ビーコンの検出の間に決定された利得設定もまた記憶され且つデータ送信期間においてデータ・パケットを検出する際のパフォーマンスを改善するために再使用され得る。
【００２８】
信号通知期間の信号は受信器により使用されることで、ＲＦアナログ・フロントエンドの低ノイズ増幅器、ミキサおよび可変利得増幅器に伴う利得の如き自動利得制御設定が確定される。一定の実施例において、信号通知期間の間に決定されたＡＧＣ設定は、後続的な、特に直後のデータ送信期間の間においても使用される。これらの実施例の内の幾つかにおいては、信号通知期間において決定されたのと同一のＡＧＣ設定がデータ送信期間において使用される。一定の実施例において、信号通知期間の間に決定されたＡＧＣ設定はデータ送信期間において初期設定として使用されることで、整定時間の短縮が期待される。
【００２９】
図５は、異なる送信電力レベルを備えた２つのグループの無線送信器を示している。デバイス５１１ａおよびデバイス５１３ｂはグループＡ内に在る。グループＡにおける各デバイスは、第１電力レベルにて送信を行う。送信電力レベルが大きくなるほど、送信範囲も広がる傾向がある。故に、デバイス５１１ａ、５１１ｂに伴う円形範囲５１３ａ、５１３ｂは比較的に大寸であり、比較的に大きい送信距離を表している。上記送信距離はデバイス５１１ａ、５１１ｂを分離する距離よりも相当に大きいことから、グループＡは、高信頼性の送信に対して必要とされるよりも大きな電力レベルを以て送信を行うデバイスを示している。図５は、グループＢの一部であるデバイス５１５ａ、５１５ｂも示している。円形範囲５１７ａ、５１７ｂは、デバイス５１５ａ、５１５ｂに対する送信距離であって該２台のデバイス間における送信に対して適切であるという送信距離を表している。故にグループＢの各デバイスは、高信頼性の送信に対して必要な電力レベルを以て送信している。しかしグループＡは、グループＢにおける幾つかのノードと干渉している。もしグループＡの送信電力が減少されるなら、両方のネットワークは減少された干渉を以て動作し得る。
【００３０】
上記ビーコン期間の間、一定の実施例においてビーコン送信は既知（所定）電力レベルにて行われ、また、一定の実施例においてビーコン送信は該送信の一部として送信電力の表示を含む。図６は、デジタル無線通信に対する典型的なアナログ受信器の簡略図を示している。該受信器は、無線周波（ＲＦ）増幅器６１１、同相／直角位相周波数変換回路機構６１３、フィルタ６１５、可変利得増幅器（ＶＧＡ）６１７および受信器強度信号表示（ＲＳＳＩ）回路機構６１９を含んでいる。ＲＳＳＩは、自動利得制御（ＡＧＣ）ループにおいて一般的に採用されると共に、一定の実施例においては受信信号の電力レベルの評価を提供する。他の実施例においては、ＶＧＡ設定が監視されて受信電力が間接的に決定される。受信電力が一旦評価されたなら、上記ビーコン群における２つの構成体間の経路損失は、たとえば、ビーコン期間からの既知の送信電力レベルから、受信電力レベル（ｄＢｍ）を減算することにより決定され得る。故に、ビーコン群における各ユーザ間の経路損失を学習することによりビーコン構成体は、情報の高信頼性の送信を確実とするが他のビーコン群に対する干渉のレベルは減少するという様式で、データ・パケットの間における送信電力レベルを調節し得る。たとえば一定の実施例において、所定のデバイスは、信号通知期間すなわちビーコン期間の間において他のデバイスからの受信信号の送信電力を決定する。上記所定デバイスは、受信信号強度の表示と送信電力の表示とに基づき、送信電力の表示または経路損失の評価を記憶する。次に、上記所定デバイスが情報を上記他のデバイスに対して送信するとき、該所定デバイスは、記憶された送信電力の表示または評価済み経路損失に基づき、該デバイス自体の送信電力設定を調節する。
【００３１】
一定の実施例において、所定デバイスは図７のフローチャートに従いプロセスを実施する。ブロック７１１においては、ビーコン期間信号が受信される。一定の実施例においては他の複数の送信器から複数のビーコン期間信号が受信され、且つ、上記デバイスは受信した各ビーコン期間信号に対して図７のプロセスを実施する。ブロック７１３において上記プロセスは、受信信号に対する送信電力の表示を決定する。一定の実施例において上記表示は、ＲＳＳＩ回路機構もしくはＶＧＡ設定、および、送信器の既知の送信電力を用いて決定される。他の実施例において上記表示は、受信したビーコン期間信号の一部として含まれる受信信号強度の評価および送信電力の表示を用いて決定される。ブロック７１５において上記デバイスは、受信信号に対する送信電力の表示と受信信号強度の表示とに基づいて該デバイス自体の送信電力を調節する。送信電力の調節量が計算されることで、他のデバイスの通信に対して不当に干渉することなく信号を受信するために十分な強度の信号が受信デバイスに対して提供される。
【００３２】
（上記ＲＦ回路機構により提供される上記ＲＳＳＩ／ＡＧＣ機構の使用に加えて）信号／ノイズ比（ＳＮＲ）を評価する代替的な手法は、受信信号の統計的特性を活用することである。送信された信号（たとえばＢＰＳＫなどの変調）および基礎となるノイズ分布（たとえば正規分布）の両方に関する前提によれば、最尤（さいゆう）パラメータ評価方法、または、最適下限であるが複雑さは低い発見的方法（sub-optimal but lower complexity heuristic method）により、ＳＮＲの評価が許容される。
【００３３】
これに加え、複数ユーザの無線リンクは次式として記述され得る：
【００３４】
ｙ＝ｈ1（ｘ1）＋ｈ2（ｘ2）＋…＋ｈn（ｘn）＋ｎ    （２）
【００３５】
此処で、ｘiはユーザｉからの入力であり、且つ、ｈiは関連するチャネルである。典型的には、不要な干渉（たとえばｉ≧２）を除去することが好適である。
【００３６】
ビーコン期間の間において夫々のユーザは各チャネルｈiを学習し得る、と言うのも、これらの送信は単一発信元からの情報を含むからである。干渉し得る複数のビーコン群を有するという無線ネットワークの一定の実施例において、ひとつのビーコン群の各構成体は、チャネル／スケジュール情報が達成される様に他の干渉ビーコン群のビーコン期間を監視する。この情報によれば、他のユーザからの入力ｘは決定された後で出力から減算されることから、唯一個の所望の入力のみが残される。
【００３７】
故に、一定の実施例において受信器は、図８のフローチャートのフローチャートに従うプロセスを実施する。ブロック８１１において受信器は、ビーコン期間信号を監視する。ブロック８１３において上記受信器は、干渉する送信器により送信される信号を決定する。ブロック８１５において上記受信器は、データ期間送信の如き送信を、干渉する送信器から減算もしくは零位調整する。その後に該プロセスはリターンする。
【００３８】
先の段落において記述された如く、チャネル評価はビーコン期間を監視することにより行われ得る。時分割システムにおいては、同一の単一チャネル（または一連のチャネル）が、送信対における両方のノードにより使用され得る。この場合には、チャネルの可逆性が仮定され得る。たとえばノードＡは、ノードＢによるビーコン送信の間においてＳＮＲまたは他のチャネル品質パラメータを測定する。ノードＡがデータ・スロットの間においてノードＢに対して送信するとき、最大の可能的な送信速度は、上記ビーコン期間の間に収集されたチャネル品質パラメータの如き情報を用いて全体的にまたは部分的に評価され得る。
【００３９】
故に本発明は、信号通知期間の情報を用いて無線デバイス調節を行う。本発明は一定の実施例に関して記述されたが、本発明は、本開示により支持される各請求項およびその僅かな変形例を包含することを理解すべきである。
【図面の簡単な説明】
【００４０】
【図１】図１は、本発明の見地に係る受信器のブロック図である。
【図２】図２は、本発明の見地に係る典型的なパケット構造を示す図である。
【図３】図３は、本発明の見地に係るＴＤＭＡスーパーフレーム構造を示す図である。
【図４】図４は、本発明の見地に係るチャネル評価用のプロセスのフローチャートである。
【図５】図５は、２つの送信器群および送信電力を示す図である。
【図６】図６は、本発明の見地に係る更なる受信器のブロック図である。
【図７】図７は、本発明の見地に係る送信電力を調節するプロセスのフローチャートである。
【図８】図８は、本発明の見地に係る干渉を減少するプロセスのフローチャートである。
【図１】
2008510438.tif 000003
【図２】
2008510438.tif 000004
【図３】
2008510438.tif 000005
【図４】
2008510438.tif 000006
【図５】
2008510438.tif 000007
【図６】
2008510438.tif 000008
【図７】
2008510438.tif 000009
【図８】
2008510438.tif 000010